(57)【特許請求の範囲】
【請求項１】
所定の上下方向の一方側に、光の出入口となる読取口が形成されたケースと、
照明光を照射する照明光源と、
前記ケースの内部において前記照明光源からの前記照明光が照射される位置に配置され、前記照明光源からの前記照明光が前記読取口の開口領域を通って前記ケースの外部に照射されるように導く導光部材と、
撮像部と、
前記撮像部で撮像可能となる視野範囲を定めると共に、前記ケースの外部から前記読取口を通過して入り込んだ光を前記撮像部に導く構成をなし、前記ケースの外部において前記視野範囲内に情報コードが配置されたときに当該情報コードの像を前記撮像部に結像させる結像部と、
前記視野範囲内に配置された前記情報コードが前記撮像部によって撮像された場合に、前記情報コードのコード画像を解読する解読部と、
を備え、
前記導光部材は、前記上下方向と直交する所定の第１方向において互いに対向する一対の第１反射部と、前記上下方向及び前記第１方向と直交する所定の第２方向において互いに対向する一対の第２反射部と、を備え、
前記一対の第１反射部において、一方の第１反射部の反射面は、前記第１方向において他方の第１反射部に近づくにつれて下位置となる傾斜面として構成され、前記他方の第１反射部の反射面は、前記第１方向において前記一方の第１反射部に近づくにつれて下位置となる傾斜面として構成されており、
前記一対の第２反射部において、一方の第２反射部の反射面は、前記第２方向において他方の第２反射部に近づくにつれて下位置となる傾斜面として構成され、前記他方の第２反射部の反射面は、前記第２方向において前記一方の第２反射部に近づくにつれて下位置となる傾斜面として構成されており、
前記照明光源は、前記一方の第１反射部、前記他方の第１反射部、前記一方の第２反射部、前記他方の第２反射部のいずれにも前記照明光を照射することを特徴とする据置型情報コード読取装置。
【請求項２】
前記照明光源は、前記第１方向において前記他方の第１反射部よりも前記一方の第１反射部に近い側に配置される一方側光源と、前記第１方向において前記一方の第１反射部よりも前記他方の第１反射部に近い側に配置される他方側光源と、を備え、
前記一方側光源からの前記照明光が前記他方の第１反射部及び前記一対の第２反射部に照射され、
前記他方側光源からの前記照明光が前記一方の第１反射部及び前記一対の第２反射部に照射されることを特徴とする請求項１に記載の据置型情報コード読取装置。
【請求項３】
前記照明光源は、前記上下方向と直交する平面方向において前記開口領域の外側の位置に配置されていることを特徴とする請求項１又は請求項２に記載の据置型情報コード読取装置。
【請求項４】
前記ケースは、箱状であって、前記読取口が形成された上面部と前記上下方向の他方側となる下面部との距離が前記上面部の短辺よりも短くなるように形成されることを特徴とする請求項１から請求項３のいずれか一項に記載の据置型情報コード読取装置。
【発明の詳細な説明】
【技術分野】
【０００１】
本発明は、据置型情報コード読取装置に関するものである。
【背景技術】
【０００２】
現在、バーコードやＱＲコード（登録商標）等の情報コードを読み取る情報コード読取装置が広く提供されており、店舗や事業所などでは据置型の読取装置も用いられている。この据置型の情報コード読取装置は、一般的に、ケースに読取口が形成され、ケースの内部には、受光センサなどからなる撮像部と、撮像部で撮像可能となる視野範囲を定めるための結像レンズとが設けられている。この種の据置型の情報コード読取装置では、ケース外に設定された視野範囲内で読取口に向けて情報コードが翳された場合に、この情報コードが撮像部によって撮像され、その撮像されたコード画像が公知の解読方法で解読される構成となっている。
【先行技術文献】
【特許文献】
【０００３】
【特許文献１】特開平８−１２３８９１号公報
【発明の概要】
【発明が解決しようとする課題】
【０００４】
ところで、上述した据置型情報コード読取装置では、視野範囲を設定する光学系（結像レンズ等）の特性上、視野範囲から撮像部に入り込む光は、視野範囲の中心部よりも周縁部の方が相対的に小さくなることが多く、このような光の偏りが大きくなると、輝度不足によるデコード不良を招きやすくなる。
【０００５】
本発明は、上述した課題を解決するためのものであり、視野範囲を撮像して得られる撮像画像において、照明光の偏りを抑制することで読み取り性能を高め得る据置型情報コード読取装置を提供することを目的とする。
【課題を解決するための手段】
【０００６】
本発明は、所定の上下方向の一方側に、光の出入口となる読取口が形成されたケースと、
照明光を照射する照明光源と、
前記ケースの内部において前記照明光源からの前記照明光が照射される位置に配置され、前記照明光源からの前記照明光が前記読取口の開口領域を通って前記ケースの外部に照射されるように導く導光部材と、
撮像部と、
前記撮像部で撮像可能となる視野範囲を定めると共に、前記ケースの外部から前記読取口を通過して入り込んだ光を前記撮像部に導く構成をなし、前記ケースの外部において前記視野範囲内に情報コードが配置されたときに当該情報コードの像を前記撮像部に結像させる結像部と、
前記視野範囲内に配置された前記情報コードが前記撮像部によって撮像された場合に、前記情報コードのコード画像を解読する解読部と、
を備え、
前記導光部材は、前記上下方向と直交する所定の第１方向において互いに対向する一対の第１反射部と、前記上下方向及び前記第１方向と直交する所定の第２方向において互いに対向する一対の第２反射部と、を備え、
前記一対の第１反射部において、一方の第１反射部の反射面は、前記第１方向において他方の第１反射部に近づくにつれて下位置となる傾斜面として構成され、前記他方の第１反射部の反射面は、前記第１方向において前記一方の第１反射部に近づくにつれて下位置となる傾斜面として構成されており、
前記一対の第２反射部において、一方の第２反射部の反射面は、前記第２方向において他方の第２反射部に近づくにつれて下位置となる傾斜面として構成され、前記他方の第２反射部の反射面は、前記第２方向において前記一方の第２反射部に近づくにつれて下位置となる傾斜面として構成されており、
前記照明光源は、前記一方の第１反射部、前記他方の第１反射部、前記一方の第２反射部、前記他方の第２反射部のいずれにも前記照明光を照射することを特徴とする。
【発明の効果】
【０００７】
請求項１の発明は、ケースの内部において照明光源からの照明光が照射される位置に、照明光源からの照明光が読取口の開口領域を通ってケースの外部に照射されるように導く構成で導光部材が配置されている。そして、この導光部材が、上下方向と直交する所定の第１方向において互いに対向する一対の第１反射部と、上下方向及び第１方向と直交する所定の第２方向において互いに対向する一対の第２反射部と、を備えている。そして、一対の第１反射部において、一方の第１反射部の反射面は、第１方向において他方の第１反射部に近づくにつれて下位置となる傾斜面として構成され、他方の第１反射部の反射面は、第１方向において一方の第１反射部に近づくにつれて下位置となる傾斜面として構成されている。更に、一対の第２反射部において、一方の第２反射部の反射面は、第２方向において他方の第２反射部に近づくにつれて下位置となる傾斜面として構成され、他方の第２反射部の反射面は、第２方向において一方の第２反射部に近づくにつれて下位置となる傾斜面として構成されている。そして、照明光源は、一方の第１反射部、他方の第１反射部、一方の第２反射部、他方の第２反射部のいずれにも照明光を照射する構成となっている。
この構成では、第１方向において対をなして配置される両第１反射部、及び第２方向において対をなして配置される両第２反射部のいずれの反射面も、平面方向において視野範囲の中心部の位置から遠い側が上位置となり、平面方向において視野範囲の中心部の位置に近い側が下位置となっている。このため、第１反射部及び第２反射部が全体的に明るく光ることから照明光の偏りが抑制されるので、読み取り性能をより確実に高めることができる。
【図面の簡単な説明】
【０００８】
【図１】図１は、第１実施形態に係る据置型情報コード読取装置を概略的に示す斜視図である。
【図２】図２は、図１の据置型情報コード読取装置を図１とは異なる方向から見た斜視図である。
【図３】図３は、図１の据置型情報コード読取装置の平面図である。
【図４】図４は、図３のＡ−Ａ断面を概略的に示す断面概略図である。
【図５】図５は、図４のＢ−Ｂ断面を概略的に示す断面概略図である。
【図６】図６は、図４のＣ−Ｃ断面を概略的に示す断面概略図である。
【図７】図７は、図４のＤ−Ｄ断面を概略的に示す断面概略図である。
【図８】図８は、図４のＥ−Ｅ断面を概略的に示す断面概略図である。
【図９】図９は、図１の据置型情報コード読取装置の電気的構成を概略的に例示するブロック図である。
【図１０】図１０は、図１の据置型情報コード読取装置で構成される高照度領域等を説明する説明図である。
【図１１】図１１は、第２実施形態に係る据置型情報コード読取装置を概略的に示す断面概略図である。
【図１２】図１２は、第３実施形態に係る据置型情報コード読取装置を概略的に示す断面概略図である。
【図１３】図１３は、第４実施形態に係る据置型情報コード読取装置を概略的に示す断面概略図である。
【図１４】図１４は、広角レンズの画角と視野範囲との関係を示す説明図である。
【図１５】図１５は、第５実施形態に係る据置型情報コード読取装置の平面図である。
【図１６】図１６（Ａ）は、受光面の長手方向が上下方向に沿うように撮像部が基板に実装された状態を示す説明図であり、図１６（Ｂ）は、受光面の長手方向が前後方向に沿うように撮像部が基板に実装された状態を示す説明図である。
【発明を実施するための形態】
【０００９】
[第１実施形態]
以下、本発明の光学的情報読取装置を具現化した第１実施形態について、図面を参照して説明する。
（光学的情報読取装置の全体構成）
図１〜図３等に示す据置型情報コード読取装置１（以下、単に読取装置１ともいう）は、机や棚などの上面を載置面（図４、図５の載置面Ｆを参照）としてこの載置面上に載置される据置型装置として構成されており、バーコード等の一次元コードやＱＲコード（登録商標）等の二次元コードなど情報コードを読み取る情報コードリーダとしての機能を有している。
【００１０】
読取装置１は、例えばＡＢＳ樹脂等の樹脂材料によって構成されるケース３を備えている。このケース３は、図４〜図６等に示すように、上ケース４ａと下ケース４ｂと備えており、これら上ケース４ａと下ケース４ｂとが上下に組み付けられた構成で全体として箱状に形成されている。そして、ケース３の内部には、後述する反射部材２９、結像部２７、撮像部２３、導光部材５０などの各部品が収容されている。また、図３等に示すように、ケース３の上面部（読取側壁部３ａ）には光の出入口となる読取口５が形成されており、読取口５を介してケース外からの光がケース内に入り込み、ケース内からの光がケース外に放出されるようになっている。そして、反射部材２９、結像部２７、撮像部２３によって構成される光学系は、この読取口５を介してケース外の情報コードを撮像するように機能している。
【００１１】
また、箱状に構成されるケース３には、据置型情報コード読取装置１を載置するときの載置面側（図４の例では載置面Ｆ側）に設けられる底壁部３ｂと、読取口５が形成された読取側壁部３ａとが対向して設けられている。そして、底壁部３ｂが載置面Ｆに支持されるように配置され、この底壁部３ｂと対向する読取側壁部３ａが、情報コードＣを翳す側の露出壁部として構成されている。なお、本構成では、底壁部３ｂと読取側壁部３ａとの対向方向（即ち、ケース３の厚さ方向であり、図２に示す載置面Ｆと直交する方向）を上下方向とし、読取口５が形成された側（読取側壁部３ａ側）を上方側、それとは反対側（底壁部３ｂ側）を下方側としている。また、この上下方向と直交する平面方向を水平方向としている。なお、プレート７の厚さ方向（即ち、プレート７の板面と直交する方向）も上下方向となっており、後述する第２視野範囲ＡＲ２の光軸Ｌ２の方向も上下方向となっている。
【００１２】
ケース３の上面側には、上ケース４ａの上端部に形成された開口部４ｃを閉じる構成でプレート７が配置されている。このプレート７は、所定の厚さの平坦な板として構成され、ケース３の外部からの光が透過可能となる光透過性の部材（例えば、透明なアクリル樹脂や透明ガラス等）によって構成されている。このプレート７は、防塵プレートとして機能しており、このようなプレート７が上ケース４ａに形成された開口部４ｃを閉塞することで、ケース３を閉塞し、ケース３の内部（特に、反射部材２９、結像部２７、撮像部２３などが収容された収容空間）にケース外からの異物（塵や埃など）が入り込みにくくなっている。また、プレート７の上面部（ケース外に露出する側の板面部）を部分的に覆う構成で光遮光性の塗料などからなる被覆層８が形成されている。この被覆層８は、プレート７の周縁部に沿って環状に形成されており、この被覆層８の内縁部によって構成される開口部が読取口５となっている。
【００１３】
次に、読取装置１の電気的構成について説明する。図９に示すように、読取装置１は、主に、照明光源２１、結像部２７、撮像部２３等の光学系と、メモリ３５、制御回路４０等のマイクロコンピュータ（以下「マイコン」という）系と、図示しない電源部、電源スイッチ等の電源系とを備えている。
【００１４】
光学系は、投光光学系と、受光光学系とに分かれている。投光光学系を構成する照明光源２１は、照明光を照射可能な光源として機能するものであり、例えば、ＬＥＤなどによって構成されている。この照明光源２１は、ケース３の長手方向一方側に配置される第１光源２１ａ，２１ｂと、ケース３の長手方向他方側に配置される第２光源２１ｃ，２１ｄとを備えており、第１光源２１ａ，２１ｂ及び第２光源２１ｃ，２１ｄのそれぞれがＬＥＤなどの投光素子として構成され、上下方向に対して横向きに照明光を照射する機能を有している。
【００１５】
また、図１〜図８で示すように、投光光学系は、照明光源２１からの光を導く導光部材５０を備えている。この導光部材５０は、ケース３の内部において照明光源２１からの照明光が照射される位置に配置され、照明光源２１からの照明光が読取口５の開口領域γ（図４等参照）を通ってケース３の外部に照射されるように導く構成となっている。なお、導光部材５０の詳細は後述する。
【００１６】
図９で示すように、受光光学系は、撮像部２３、結像部２７、反射部材２９（図１、図２等）などによって構成されている。
【００１７】
撮像部２３は、例えばＣＣＤ素子やＣＭＯＳ素子等の固体撮像素子（受光素子）が二次元的に配列された受光センサ（エリアセンサ）などによって構成されており、図４、図９等に示すように、結像部２７に面する側にケース外からの光を受光し得る受光面２３ａが配置されている。この撮像部２３は、反射部材２９で反射された光が結像部２７を通過して受光面２３ａに入り込もうとする入射光を受光し得るように基板に実装されている。そして、例えば、図９のように、情報コードＣが示された読取対象物Ｒが視野範囲内に配置されたとき（例えば、読取対象物Ｒにおける情報コードＣを表示する側の面が開口領域γ内においてプレート７に接触又は近接するように配置されたとき）、この情報コードＣ及び読取対象物Ｒに照射されて反射した反射光Ｌｒ（図９参照）を受光する構成となっている。また、撮像部２３は、受光面２３ａにおいて光を検出しうる領域（固体撮像素子が配置された領域）が「所定の受光領域」として設定されており、図４等では、撮像部２３における受光領域の範囲を符号Ｄ１にて概念的に示している。即ち、受光面２３ａにおいて範囲Ｄ１に入射する光が撮像部２３に検出されるようになっている。なお、図４等に示す例では、撮像部２３における受光領域の範囲は、例えば受光面２３ａにおいて光軸Ｌ１を中心とする上下方向所定範囲となっており、且つ光軸Ｌ１を中心とする左右方向（幅方向）所定範囲となっている。なお、図４等に示す例では、受光面２３ａが前後方向とほぼ直交して配置されている。
【００１８】
結像部２７は、公知の結像レンズによって構成され、結像光学系として機能している。この結像部２７は、撮像部２３で撮像可能となる視野範囲を定めると共に、ケース３の外部から読取口５を通過して入り込んだ光（具体的には、当該入射光が反射部材２９で反射した光）を撮像部２３の受光領域に導く構成となっている。そして、結像部２７は、ケース３の外部において視野範囲内に情報コードＣが配置されたときに当該情報コードＣの像を撮像部２３の受光領域に結像させるように機能する。本構成では、照明光源２１から照射され、導光部材５０によってケース外に導かれた照明光を情報コードＣに当てながら当該情報コードＣを撮像し得るようになっており、結像部２７は、情報コードＣが視野範囲内（撮像エリア内）に配置されたときに、この情報コードＣからの反射光Ｌｒを集光し、撮像部２３の受光面２３ａに情報コードＣの像を結像させるように構成されている。なお、結像部２７としては、例えば、焦点距離が短く画角の広い広角レンズを好適に用いることができる。
【００１９】
図９で示すように、マイコン系は、増幅回路３１、Ａ／Ｄ変換回路３４、メモリ３５、アドレス発生回路３６、同期信号発生回路３８、制御回路４０等によって構成されており、例えば上述した光学系によって撮像された情報コードＣの画像信号を信号処理するように構成されている。具体的には、視野範囲内に配置された情報コードＣが撮像部２３によって撮像されたときの撮像画像のデータをメモリ３５に記憶可能に構成されており、制御回路４０は、このような情報コードＣの画像データを解析し、当該情報コードＣに記録されたデータを公知の解読方法で解読するように構成されている。なお、制御回路４０は、解読部の一例に相当し、視野範囲内に配置された情報コードＣが撮像部２３によって撮像された場合に、この情報コードＣのコード画像を解読するように機能する。
【００２０】
なお、図９等では図示を省略しているが、読取装置１には押圧ボタンなどの操作部が設けられていてもよく、この場合、ユーザが操作部を操作したときにその操作に応じた信号が制御回路に入力されることとなる。また、公知の通信インタフェースが設けられていてもよく、この構成では、読取装置１から図示しない外部装置に情報を送信したり、読取装置１が外部装置から情報を受信したりすることが可能となる。また、ランプや表示装置などの表示部が設けられていてもよい。
【００２１】
読取対象となる情報コードＣとしては、例えばＱＲコード（登録商標）などが挙げられ、公知のコードであれば、データマトリックスコードやマキシコードなどの他の二次元コードであってもよい。或いは、バーコードなどの公知の一次元コードであってもよい。また、読取対象となる情報コードＣの形成方法は特に限定されず、印刷、ダイレクトマーキング、画像表示など様々な方法が想定される。また、読取対象物Ｒ（図９）の材質や構造も様々であり、金属材料、樹脂材料、紙など、様々な材料が対象となり、携帯端末（携帯電話機やスマートフォンなどの携帯型情報処理装置）やその他の情報処理装置などであってもよい。
【００２２】
（撮像構造）
次に、撮像構造等について詳述する。
本構成では、ケース３の内部に反射部材２９、結像部２７、撮像部２３、照明光源２１、導光部材５０が収容されている。以下では、これら反射部材２９、結像部２７、撮像部２３、照明光源２１、導光部材５０等についてより詳細に説明する。
【００２３】
なお、本明細書では、上下方向と直交する平面方向（水平方向）において、ケース３の長手方向を幅方向（左右方向）とし、その平面方向（水平方向）においてケース３の短手方向（上下方向及び幅方向と直交する方向）を前後方向とする。
【００２４】
図４〜図６等に示すように、本構成では、ケース３の上面部（上壁部）として、板状且つ略矩形状（略長方形状）のプレート７が配置されており、このプレート７が読取側壁部３ａに相当している。図３のように読取装置１を平面視したときのプレート７の長手方向中央部及び短手方向中央部には、略矩形状（略長方形状）の読取口５が形成されている。読取口５は、図３のように平面視したときに、当該読取口５の開口領域γ（図３に示す境界線Ｐ３の内側の領域であり、図４も参照）に反射部材２９の反射領域（反射面の領域）が全て収まるようなサイズ及び位置で形成されている。即ち、図３に示す幅方向において、読取口５の幅方向一端部５ａと幅方向他端部５ｂとの間に反射部材２９の幅方向一端部と他端部が配置され、図３に示す前後方向において、読取口５の前後方向一端部５ｃと前後方向他端部５ｄとの間に反射部材２９の前後方向一端部と他端部が配置されている。なお、読取口５の幅方向一端部５ａと幅方向他端部５ｂの縁部は、いずれも前後方向に直線状に延びており、読取口５の前後方向一端部５ｃと前後方向他端部５ｄはいずれも幅方向（左右方向）に直線状に延びている。
【００２５】
図４〜図６等に示すように、ケース３の底壁部３ｂは、ケース３の下面部として板状に構成されており、読取装置１が載置面Ｆに載置されるときに、当該底壁部３ｂの下面側が載置面Ｆに支持される構成となっている。この底壁部３ｂは、厚さ方向を上下方向とする構成で外面（下面）の大部分が略平坦面として構成されている。そして、箱状に構成されるケース３の底として機能している。なお、読取側壁部３ａ（上面部）と底壁部（下面部）との間には、ケース３内の収容空間（反射部材２９、結像部２７、撮像部２３などが収容される空間）の周囲を取り囲むように側壁部３ｃが設けられている。この側壁部３ｃは、幅方向両側に配置される一対の側壁（いずれも前後方向に延びる側壁）と、前後方向両側に配置される一対の側壁（いずれも幅方向に延びる側壁）とを備えており、これら四方の側壁が環状に連結して配置されている。このように環状に配置された側壁部３ｃ（周壁部）の上側を部分的に閉塞する構成（具体的には、側壁部３ｃの上端部によって構成される開口部４ｃを閉塞する構成）で読取側壁部３ａ（上面部）に相当するプレート７が配置され、側壁部３ｃの下側全体を閉塞する構成で底壁部３ｂ（下面部）が配置されている。
【００２６】
プレート７は、上ケース４ａの上端部に形成された開口部を閉塞する構成で配置され、ケース３の上面部を構成しており、ケース３内部に収容される反射部材２９、結像部２７、導光部材５０の上側を覆う構成で配置されている。そして、図３のように平面視したときには、プレート７の露出部分（図３で概念的に示す境界線Ｐ３の内側の領域である開口領域γ（図４）の部分）を介してケース内の反射部材２９、結像部２７、導光部材５０が視認されるようになっている。プレート７は、例えば透明且つ平坦な板材として構成され、その板面（上面７ａ及び下面７ｂ）と直交する方向が上下方向となるように略水平に配置されている。なお、プレート７は、透明部材の一例に相当し、被覆層８の内周部として構成される読取口５を閉塞するように機能する。つまり、読取口５は、光の出入りを許容する構成であるが、プレート７の閉塞によって水や埃等の侵入を許容しない構成となっている。
【００２７】
反射部材２９は、例えばミラーとして構成され、ケース３の内部に収容され、ケース３の外部から読取口５を介して入り込む光を反射させるように機能する。この反射部材２９は、反射面２９ａ（鏡面）が斜め上側且つ前後方向一方側（反射面２９ａに対し結像部２７側）を向く構成で配置されており、ケース３の上方側から読取口５を通って入り込んだ光を前後方向一方側に反射するように構成されている。より具体的には、反射面２９ａが平坦に構成され、この反射面２９ａが、上下方向及び前後方向と平行な仮想平面と直交するように配置されており、例えば上下方向と反射面２９ａとのなす角度が４５°となっており、上下方向と平行に入り込んだ光を水平に反射するように配置されている。
【００２８】
また、反射部材２９の反射面２９ａ（上方側からの光を反射可能な鏡面領域であり、上方側に露出する面）の上端部２９ｃは、上下方向においてプレート７寄りの位置に配置され、反射面２９ａの下端部２９ｂは、上下方向において底壁部３ｂ寄りに配置されている。また、反射部材２９の反射面２９ａは、下端部２９ｂの幅が最も狭く、上端部２９ｃの幅が最も広くなるように、上方となるにつれて幅が広くなる構成となっている。
【００２９】
結像部２７は、上述したように広角レンズとして機能する結像レンズによって構成され、図４、図６、図７等に示すようにプレート７から離れた位置に配置されている。この結像部２７は、ケース３の外部から読取口５を通過して入り込み且つ反射部材２９で反射した光を集光しつつ撮像部２３の受光面２３ａ（受光領域）に導く機能を有し、ケース３の内外において撮像部２３で撮像可能となる視野範囲を定める構成となっている。具体的には、図４に示すように、視野範囲として、当該結像部２７と反射部材２９との間に構成される第１視野範囲ＡＲ１と、当該第１視野範囲ＡＲ１に続くように反射部材２９から上方側に構成される第２視野範囲ＡＲ２とを定めている。つまり、この第１視野範囲ＡＲ１及び第２視野範囲ＡＲ２を撮像エリアとするように、視野範囲からの光を撮像部２３の受光領域に向けて集光し結像させている。なお、第１視野範囲ＡＲ１は、結像部２７によって集光されて直接撮像部２３に撮像される視野範囲であり、第２視野範囲ＡＲ２は、反射部材２９に映り込んだ画像が撮像部２３に撮像される視野範囲である。このように構成される結像部２７は、ケース３の外部に設定された第２視野範囲ＡＲ２内に情報コードＣが配置されたときに当該情報コードＣの像を撮像部２３の受光領域に結像させるように機能している。
【００３０】
図４に示す第１視野範囲ＡＲ１は、結像部２７と反射部材２９との間の空間において撮像部２３によって撮像される範囲であり、反射部材２９の反射面２９ａに近づくにつれて徐々に広くなるように設定されている。また、第１視野範囲ＡＲ１の中心となる光軸Ｌ１は、水平方向（具体的には、前後方向）となっており、反射面２９ａとのなす角度が４５°となっている。そして、図４のように、光軸Ｌ１を通り上下方向と平行な平面を切断面として読取装置１を切断した場合、当該切断面上において第１視野範囲ＡＲ１が上下に最も広がるようになっている。そして、図４に示す切断面（光軸Ｌ１を通り上下方向と平行な切断面）では、第１視野範囲ＡＲ１の下限の境界は、反射部材２９の反射面２９ａに近づくにつれて低位置（下位置）となり、第１視野範囲ＡＲ１の上限の境界は、反射部材２９の反射面２９ａに近づくにつれて高位置（上位置）となるように構成されている。そして、図４に示す切断面（図３に示すＡ−Ａ位置の切断面であり、読取装置１を左右方向中心位置において左右方向と直交する方向に切断した切断面）において、第１視野範囲ＡＲ１の下限の境界が反射部材２９の反射面２９ａに達した位置（その境界と反射面２９ａとが交わる位置）が第１視野範囲ＡＲ１の下端位置となっている。また、第１視野範囲ＡＲ１の上限の境界が反射部材２９の反射面２９ａに達した位置（その境界と反射面２９ａとが交わる位置）が第１視野範囲ＡＲ１の上端位置となっている。
【００３１】
図４のように、本構成では、反射部材２９の反射領域（反射面２９ａが露出した領域）が、少なくとも第１視野範囲ＡＲ１の下端に位置しており、第１視野範囲ＡＲ１の下端から上端まで続いている。つまり、反射部材２９は、図４のような切断面において第１視野範囲ＡＲ１の上下方向全領域を網羅するように反射面２９ａが配置されている。例えば、図４に示す切断面において、反射領域（反射面２９ａの領域）の上端部２９ｃは、第１視野範囲ＡＲ１の上端位置と同位置又は当該上端位置よりも上位置であり、反射領域（反射面２９ａの領域）の下端部２９ｂは、第１視野範囲ＡＲ１の下端位置と同位置又は当該下端位置よりも下位置となっている。より具体的には、撮像部２３の受光領域の全領域に反射面２９ａが映り込むように配置されている。つまり、第１視野範囲ＡＲ１の反射部材２９側の境界は、全て反射面２９ａ上の位置となっており、撮像部２３は、反射面２９ａの周囲に隣接する部分（反射面２９ａ以外の部分）を撮像せず、第２視野範囲ＡＲ２の全体を撮像し得るようになっている。
【００３２】
第２視野範囲ＡＲ２は、上述の第１視野範囲ＡＲ１に続くように反射部材２９にて折り返された視野範囲であり、この第２視野範囲ＡＲ２に存在する物体等が反射部材２９に映り、撮像部２３によって撮像されるようになっている。逆に、第２視野範囲ＡＲ２の外側は、第１視野範囲ＡＲ１を除き、撮像部２３に撮像されない。
【００３３】
本構成では、反射面２９ａが水平方向に対して例えば４５度の角度で傾斜した構成となっている。そして、反射部材２９に対し、前後方向一方側に結像部２７が配置されており、第１視野範囲ＡＲ１の光軸Ｌ１が前後に延びる構成となっている。従って、第２視野範囲ＡＲ２の中心となる光軸Ｌ２は上下方向に延びている。そして、第１視野範囲ＡＲ１が反射部材２９にて折り返された第２視野範囲ＡＲ２は、上方となるにつれて範囲が広くなるように設定されており、図４のような断面（光軸Ｌ１、Ｌ２を通る断面）では、上方となるにつれて第２視野範囲ＡＲ２が前後に広がるようになっている。
【００３４】
具体的には、光軸Ｌ２を中心として上方となるにつれて前後に範囲が広くなるように第２視野範囲ＡＲ２が設定されており、同様に、光軸Ｌ２を中心として上方となるにつれて左右に範囲が広くなるように第２視野範囲ＡＲ２が設定されている。なお、ケース外において第２視野範囲ＡＲ２を水平方向に切断した仮想面上での第２視野範囲ＡＲ２の境界形状は、例えば円形であってもよく、長方形、正方形等の矩形形状であってもよい。
【００３５】
そして、結像部２７は、第２視野範囲ＡＲ２から外れた位置に配置されている。具体的には、第２視野範囲ＡＲ２の前後方向一方側の境界Ｂ１よりも前後方向一方側に外れた位置に結像部２７が配置されている。このように結像部２７の一部が第２視野範囲ＡＲ２に入り込まないように構成されているため、結像部２７の一部が反射部材２９に映り込んで撮像部２３に撮像されてしまうことがなく、このような映り込みに起因する撮像エリアの縮小が抑えられている。また、図４のように、結像部２７のレンズ部分は、反射部材２９の反射面２９ａの領域（反射領域）の下端部２９ｂよりも上位置に配置され、上端部２９ｃよりも下位置に配置されている。更に、結像部２７の前後方向の一端部（反射部材２９側の端部）は、前後方向において、読取口５の前後方向他端部５ｄと光軸Ｌ２との間に配置されている。このように配置することで、結像部２７の映り込みを防ぎつつ、読取口５の下方側の領域を生かすことができる。
【００３６】
また、図４に示すように、第１視野範囲ＡＲ１の中心となる光軸Ｌ１及び第２視野範囲ＡＲ２の中心となる光軸Ｌ１を通る平面を切断面とした断面において、第２視野範囲ＡＲ２の両境界Ｂ１、Ｂ２が読取口５の内周部寄りの位置（例えば、端部５ｄ，５ｃの位置又は端部５ｄ，５ｃに近い位置）を通る構成となっている。なお、図４の例では、第２視野範囲ＡＲ２の前後方向一方側の境界Ｂ１と前後方向他方側の境界Ｂ２とがいずれも、読取口５の内周部（端部５ｄ，５ｃ）よりも僅かに内側を通るようになっているが、これら境界Ｂ１、Ｂ２がいずれも内周部（端部５ｄ，５ｃ）を通る構成となっていてもよい。
【００３７】
次に、照明光源２１について説明する。図３、図４、図６、図８に示すように、照明光源２１は、上下方向と直交する平面方向において開口領域γ（図３に示す境界線Ｐ３の内側領域）の外側の位置に配置されている。なお、境界線Ｐ３は、平面方向における開口領域γの境界を概念的に示すものであり、実際は、読取口５の内縁が開口領域γの境界となる。照明光源２１は、ケース３の長手方向一端寄り（幅方向一端寄り）に配置された第１光源２１ａ，２１ｂと、ケース３の長手方向他端寄り（幅方向他端寄り）に配置された第２光源２１ｃ，２１ｄとを有している。これら第１光源２１ａ，２１ｂ及び第２光源２１ｃ，２１ｄはいずれも、プレート７の板面に形成された被覆層８の下方に配置されており、図６、図８のように、第１光源２１ａ，２１ｂ及び第２光源２１ｃ，２１ｄのいずれも、この被覆層８の下位置に配置される基板（基板９１，９２，９３，９４）の下面側に実装されている。なお、基板９１と基板９２は同一基板であってもよく、別々の基板であってもよい。また、基板９３と基板９４は同一基板であってもよく、別々の基板であってもよい。
【００３８】
図４、図６、図８に示すように、第１光源２１ａ，２１ｂ及び第２光源２１ｃ，２１ｄはいずれも、上下方向において、プレート７よりも下方位置且つ後述する導光部材５０の上端位置付近に配置されており、図３のように、平面方向において開口領域γ（境界線Ｐ３の内側領域）から外側に離れた位置に配置されている。そして、第１光源２１ａ，２１ｂ及び第２光源２１ｃ，２１ｄのいずれも、上下方向と直交する横方向（水平方向）及び横方向に対して傾斜した斜め横方向に照明光が照射されるように開口領域γに近づく側に照明光を照射する構成となっている。例えば、図６、図８のように、左右方向（幅方向）一方側に配置された第１光源２１ａ，２１ｂの照射面（発光面）は、これら第１光源２１ａ，２１ｂの側面に相当すると共に左右方向他方側（第２光源２１ｃ，２１ｄ側）に向くように配置され、これら第１光源２１ａ，２１ｂからは、左右方向他方側に向けて照明光が照射されるようになっている。また、左右方向（幅方向）他方側に配置された第２光源２１ｃ，２１ｄの照射面（発光面）は、これら第２光源２１ｃ，２１ｄの側面に相当すると共に左右方向一方側（第１光源２１ａ，２１ｂ側）に向くように配置され、これら第２光源２１ｃ，２１ｄからは、左右方向一方側に向けて照明光が照射されるようになっている。なお、第１光源２１ａ，２１ｂ及び第２光源２１ｃ，２１ｄの照射面となる各側面は、例えば、幅方向と直交する面方向となっており、全ての第１光源２１ａ，２１ｂ及び第２光源２１ｃ，２１ｄの照射面の上下方向の高さは、ほぼ同じ高さになっている。
【００３９】
また、上下方向において照明光源２１と読取口５の間の位置には、少なくとも照明光源２１からの照明光の照射側において照明光源２１の位置から平面方向に沿って読取口５側（第２視野範囲ＡＲ２側）に延びる構成の遮光部（遮光部９１ａ，９２ａ，９３ａ，９４ａ）が配置されている。そして、これら遮光部９１ａ，９２ａ，９３ａ，９４ａにより、照明光源２１から斜め上方側に向かおうとする照明光が遮られる構成となっている。
【００４０】
例えば、図６のように、平面方向において第１光源２１ａと読取口５の間の位置には、少なくとも第１光源２１ａからの照明光の照射側（幅方向における第２光源２１ｃ側）に、第１光源２１ａの位置から平面方向に延びるように遮光部９１ａが配置されている。この遮光部９１ａは、第１光源２１ａが実装される基板９１において第１光源２１ａよりも開口領域γ側（平面方向において開口領域γに近い側）の部分が該当する。そして、この遮光部９１ａにより、第１光源２１ａを起点として斜め上側に向かおうとする光が遮られるようになっている。なお、図６等に示す例では、基板９１、９２、９３、９４は、厚さ方向を上下方向とし、板面方向を水平方向（上下方向と直交する面方向）とするように構成され、基板９１、９２、９３、９４のそれぞれの下面（裏面）に発光素子として構成される第１光源２１ａ、２１ｂ、第２光源２１ｃ、２１ｄがそれぞれ実装されている。そして、例えば、基板９１では、第１光源２１ａの実装面（基板９１の下面）が、少なくとも平面方向において第１光源２１ａの位置から開口領域γに近い側（第２視野範囲ＡＲ２の光軸Ｌ２に近い側）の延びるように配置されている。このように構成されているため、第１光源２１ａから照射された直後の光が斜め上方側に向かおうとしても遮光部９１ａで遮られて多くが下方に反射することになり、第１光源２１ａからの光の多くは、第１光源２１ａよりも斜め上方側に向かいにくくなる。その結果、第１光源２１ａからの光の多くは、水平方向及び斜め下方向に照射されることになる。同様に、図８のように、平面方向において第１光源２１ｂと読取口５の間の位置には、少なくとも第１光源２１ｂからの照明光の照射側において第１光源２１ｂの位置から平面方向に延びるように（具体的には平面方向において読取口５側に延びるように）遮光部９２ａが配置されている。この遮光部９２ａは、第１光源２１ｂが実装される基板９２において第１光源２１ｂよりも開口領域γ側（平面方向において開口領域γに近い側）の部分が該当し、この遮光部９２ａにより、第１光源２１ｂを起点として斜め上側に向かおうとする光が遮られるようになっている。より具体的には、第１光源２１ｂの実装面（基板９２の下面）が、少なくとも平面方向において第１光源２１ｂの位置から開口領域γに近い側（第２視野範囲ＡＲ２の光軸Ｌ２に近い側）の延びるように配置されている。これにより、第１光源２１ｂからの光の多くは、水平方向及び斜め下方向に照射されることになる。なお、図８の説明図では、第１光源２１ｂから照射される光を省略して示している。
【００４１】
また、図６のように、平面方向において第２光源２１ｃと読取口５の間の位置には、少なくとも第２光源２１ｃからの照明光の照射側において第２光源２１ｃの位置から平面方向に延びるように（具体的には平面方向において読取口５側に延びるように）遮光部９３ａが配置されている。この遮光部９３ａは、第２光源２１ｃが実装される基板９３において第２光源２１ｃよりも開口領域γ側（平面方向において開口領域γに近い側）の部分が該当し、この遮光部９３ａにより、第２光源２１ｃを起点として斜め上側に向かおうとする光が遮られるようになっている。より具体的には、第２光源２１ｃの実装面（基板９３の下面）が、少なくとも平面方向において第２光源２１ｃの位置から開口領域γに近い側（第２視野範囲ＡＲ２の光軸Ｌ２に近い側）の延びるように配置されている。これにより、第２光源２１ｃからの光の多くは、水平方向及び斜め下方向に照射されることになる。なお、図６の説明図では、第２光源２１ｃから照射される光を省略して示している。同様に、図８のように、平面方向において第２光源２１ｄと読取口５の間の位置には、少なくとも第２光源２１ｄからの照明光の照射側において第２光源２１ｄの位置から平面方向に延びるように（具体的には平面方向において読取口５側に延びるように）遮光部９４ａが配置されている。この遮光部９４ａは、第２光源２１ｄが実装される基板９４において第２光源２１ｄよりも開口領域γ側（平面方向において開口領域γに近い側）の部分が該当し、この遮光部９４ａにより、第２光源２１ｄを起点として斜め上側に向かおうとする光が遮られるようになっている。より具体的には、第２光源２１ｄの実装面（基板９４の下面）が、少なくとも平面方向において第２光源２１ｄの位置から開口領域γに近い側（第２視野範囲ＡＲ２の光軸Ｌ２に近い側）の延びるように配置されている。これにより、第２光源２１ｄからの光の多くは、水平方向及び斜め下方向に照射されることになる。このように構成されているため、各照明光源２１からの光が直接使用者の目に入り込みにくく、且つ各照明光源２１からの光を後述する導光部材５０に効率的に当てやすくなる。
【００４２】
そして、これらの照明光源２１による照明光の照射先には、導光部材５０が配置されている。図１０で例示されるように、導光部材５０は、読取口５の開口領域γ（図１０に示す境界線Ｐ３の内側領域）において、視野範囲の中心部Ｐ１を通る照明光の照度よりも、視野範囲内の周縁部寄りに定められた所定の高照度領域βを通る照明光の照度のほうが大きくなるように照明光を導く構成となっている。なお、図４、図１０の例では、プレート７の上面の位置において読取口５の内縁部によって囲まれる領域（プレート７の上面において読取口５から露出する領域）が開口領域γに相当している。そして、図１０の例では、この開口領域γにおいて視野範囲の周縁部に沿った環状領域が高照度領域βとなっており、この高照度領域βをハッチングで概念的に示している。
【００４３】
導光部材５０は、照明光源２１からの照明光を反射する複数の反射部５１，５２，５３，５４を備えている。これら反射部５１，５２，５３，５４はいずれも、第２視野範囲ＡＲ２側の面が、照明光源２１からの照明光を反射する反射面として構成されている。そして、各反射部５１，５２，５３，５４の各反射面はいずれも、上下方向と直交する平面方向において、読取口５の開口領域γにおける視野範囲の中心部Ｐ１の位置（即ち、プレート７と光軸Ｌ２が交わる位置）に近づくにつれて下位置となる傾斜面として構成されている。なお、反射部５１，５２，５３，５４は、例えば、遮光性の部材によって構成されており、反射部５１，５２，５３，５４のいずれも、第２視野範囲ＡＲ２側の外面（即ち照明光を反射する反射面）が所定色（例えば、白色等の明色）であり、いずれも第２視野範囲ＡＲ２側の外面に入射する光を拡散反射させる構成となっている。
【００４４】
図１〜図３、図５、図７等に示すように、導光部材５０は、上下方向と直交する所定方向（幅方向）において互いに対向する一対の第１反射部５３，５４を備えている。そして、図５、図７のように、これら一対の第１反射部５３，５４において、一方の第１反射部５４の反射面は、所定方向（幅方向）において他方の反射部５３に近づくにつれて下位置となる傾斜面として構成され、他方の反射部５３の反射面は、所定方向において一方の反射部５４に近づくにつれて下位置となる傾斜面として構成されている。
【００４５】
より具体的には、図３、図５、図７のように、幅方向（上下方向と直交する所定の第１方向）において互いに対向する一対の第１反射部５３，５４と、図３、図４のように、前後方向（上下方向及び第１方向と直交する所定の第２方向）において互いに対向する一対の第２反射部５１，５２とが設けられている。そして、導光部材５０全体が、視野範囲の外側において、第２視野範囲ＡＲ２に沿って配置されており、下方位置となるにつれて孔の大きさ（開口領域）が狭くなるすり鉢状の構造となっている。このように、導光部材５０は、第２視野範囲ＡＲ２の外側において第２視野範囲ＡＲ２を囲む構成で環状に配置されており、且つ上端部５０ａが読取口５の内縁部に近接して配置されている。導光部材５０の上端部５０ａは、第２視野範囲ＡＲ２を囲む環状の端部構造となっており、このように環状に構成される上端部５０ａのいずれも、読取口５の内縁部の直下近傍に位置し、上端部５０ａのいずれの位置も、開口領域γの中心部よりも周縁部のほうが近くなっている。また、上端部５０ａのいずれの位置も、開口領域γでの視野範囲αの中心部Ｐ１よりも周縁部（境界線Ｐ２付近）のほうが近くなっている。
【００４６】
図３、図５、図７のように、一対の第１反射部５３，５４において、一方の第１反射部５４の反射面は、幅方向（第１方向）において他方の第１反射部５３に近づくにつれて下位置となる傾斜面として構成され、他方の第１反射部５３の反射面は、幅方向（第１方向）において一方の第１反射部５４に近づくにつれて下位置となる傾斜面として構成されている。更に、図３、図４のように、一対の第２反射部５１，５２において、一方の第２反射部５１の反射面は、前後方向（第２方向）において他方の第２反射部５２に近づくにつれて下位置となる傾斜面として構成され、他方の第２反射部５２の反射面は、前後方向（第２方向）において一方の第２反射部５１に近づくにつれて下位置となる傾斜面として構成されている。そして、照明光源２１は、一方の第１反射部５４、他方の第１反射部５３、一方の第２反射部５１、他方の第２反射部５２のいずれにも照明光を照射する構成となっている。なお、図３では、一方の第１反射部５４の領域を二点鎖線Ｊ１１で概念的に示し、他方の第１反射部５３の領域を二点鎖線Ｊ１２で概念的に示している。また、一方の第２反射部５１の領域を二点鎖線Ｊ２１で示し、他方の第２反射部５２の領域を二点鎖線Ｊ２２で示している。第１反射部５３の反射部は、ケース３の幅方向中心位置よりも幅方向一方側に配置され且つ第２視野範囲ＡＲ２の光軸Ｌ２よりも幅方向一方側に配置されており、幅方向の端部（第１光源２１ａ，２１ｂ寄りの端部）位置が、前後方向の長さが最も大きく、幅方向において第２視野範囲ＡＲ２の光軸Ｌ２側に近づくにつれて前後方向の長さが次第に小さくなっている。第１反射部５４の反射部は、ケース３の幅方向中心位置よりも幅方向他方側に配置され且つ第２視野範囲ＡＲ２の光軸Ｌ２よりも幅方向他方側に配置されており、幅方向の端部（第２光源２１ｃ，２１ｄ寄りの端部）位置が、前後方向の長さが最も大きく、幅方向において第２視野範囲ＡＲ２の光軸Ｌ２側に近づくにつれて前後方向の長さが次第に小さくなっている。第２反射部５１の反射部は、ケース３の前後中心位置よりも前後方向一方側に配置され且つ第２視野範囲ＡＲ２の光軸Ｌ２よりも前後方向一方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。第２反射部５２の反射部は、ケース３の前後中心位置よりも前後方向他方側に配置され且つ第２視野範囲ＡＲ２の光軸Ｌ２よりも前後方向他方側に配置されており、前後方向の端部（光軸Ｌ２とは反対側の端部）位置が、左右方向（幅方向）の長さが最も大きく、前後方向において第２視野範囲ＡＲ２の光軸Ｌ２側に近づくにつれて左右方向（幅方向）の長さが次第に小さくなっている。
【００４７】
具体的には、図６、図８、図１０に示すように、第１光源２１ａ，２１ｂは、幅方向においてこれら第１光源２１ａ，２１ｂとは反対側（ケース３の幅方向中心位置に対して第１光源２１ａ，２１ｂとは反対側）に設けられた一方の第１反射部５４に向けて照明光を照射する構成となっており、第２光源２１ｃ，２１ｄは、幅方向においてこれら第２光源２１ｃ，２１ｄとは反対側（ケース３の幅方向中心位置に対して第２光源２１ｃ，２１ｄとは反対側）に設けられた他方の第１反射部５３に向けて照明光を照射する構成となっている。また、第１光源２１ａ，２１ｂは、幅方向（第１方向）において一方の第１反射部５４よりも他方の第１反射部５３に近い側に配置される他方側光源に相当し、第２光源２１ｃ，２１ｄは、幅方向（第１方向）において他方の第１反射部５３よりも一方の第１反射部５４に近い側に配置される一方側光源に相当する。そして、第２光源２１ｃ，２１ｄ（一方側光源）からの照明光が、他方の第１反射部５３及び一対の第２反射部５１，５２における第１反射部５３側（読取口５の幅方向中心位置よりも第１反射部５３側）の部分に対し、少なくともケース３の上下方向中心位置よりも上側の領域（望ましくは、各反射部のほぼ全体）に照射されるようになっている。また、第１光源２１ａ，２１ｂ（他方側光源）からの照明光が、一方の第１反射部５４及び一対の第２反射部５１，５２における第１反射部５４側（読取口５の幅方向中心位置よりも第１反射部５４側）の部分に対し、少なくともケース３の上下方向中心位置よりも上側の領域（望ましくは、各反射部のほぼ全体）に照射されるようになっている。なお、図１０では、第１光源２１ａからの照明光の照射エリアを太線の破線で概念的に示しており、第１光源２１ｂからの照明光の照射エリアを太線の実線で概念的に示しており、第２光源２１ｃからの照明光の照射エリアを太線の二点鎖線で概念的に示しており、第２光源２１ｄからの照明光の照射エリアを太線の一点鎖線で概念的に示している。
【００４８】
このように、第１光源２１ａ，２１ｂ及び第２光源２１ｃ，２１ｄから照射された照明光は、すり鉢状に構成された導光部材５０の壁面（第１反射部５３，５４及び第２反射部５１，５２の第２視野範囲ＡＲ２側の外面）に照射されるため、図１０のように平面視したときに、第１反射部５３，５４及び第２反射部５１，５２が全体的に明るく光ることになる。更に、図４、図５、図７のように、第１反射部５３，５４及び第２反射部５１，５２はいずれも、平面方向において視野範囲ＡＲ２の中心（光軸Ｌ２）側が下位置となる構成であり、光軸Ｌ２から遠い側が上位置となる構成となっている。このため、読取口５の開口領域γ（プレート７の上面において読取口５から露出する領域）において、この領域γ内の視野範囲α（図１０において境界線Ｐ２に囲まれる領域）では、周縁部付近（境界線Ｐ２付近）に近い導光部材５０の上端部５０ａ付近（第１反射部５３，５４及び第２反射部５１，５２の上端部付近）からの反射光がその周縁部付近（境界線Ｐ２付近）に届きやすくなる。よって、開口領域γ内の視野範囲α（図１０において境界線Ｐ２に囲まれる領域）では、当該視野範囲αの周縁部付近（境界線Ｐ２付近）の照度が当該視野範囲αの中心部Ｐ１付近の照度と比較して相対的に高くなる。一方、開口領域γにおける視野範囲αの中心部Ｐ１は、周縁部付近（境界線Ｐ２付近）と比較して第１反射部５３，５４及び第２反射部５１，５２からの距離が遠いため、第１反射部５３，５４及び第２反射部５１，５２で反射した照明光は、開口領域γにおいて視野範囲αの周縁部よりも中心部Ｐ１に届きにくくなる。よって、開口領域γ内の視野範囲α（図１０において境界線Ｐ２に囲まれる領域）では、中心部Ｐ１付近の照度が周縁部付近（境界線Ｐ２付近）の照度と比較して相対的に低くなる。なお、図１０では、開口領域γにおいて視野範囲αの中心部Ｐ１付近の照度よりも照度が高くなる高照度領域βをハッチング領域として概念的に示している。開口領域γでは、このように高照度領域βが構成されるため、開口領域γにおいてプレート７の上面に密着するように物体を配置した場合、この物体では、高照度領域βの位置の照度が相対的に大きく、中心部Ｐ１付近の照度が相対的に小さくなり、高照度領域βが中心部Ｐ１付近よりも相対的に明るくなる。
【００４９】
（本構成の主な効果）
本構成では、ケース３の内部において照明光源２１からの照明光が照射される位置に、照明光源２１からの照明光が読取口５の開口領域γを通ってケース３の外部に照射されるように導く構成で導光部材５０が配置されている。そして、この導光部材５０は、開口領域γにおいて、視野範囲αの中心部Ｐ１を通る照明光の照度よりも、視野範囲α内の周縁部寄りに定められた所定の高照度領域βを通る照明光の照度のほうが大きくなるように照明光を導いている。
この構成によれば、少なくとも読取口５付近の視野範囲内において、周縁部寄りの領域の照度を中心部Ｐ１付近の照度よりも相対的に高めることができ、この視野範囲を撮像部２３で撮像して得られた撮像画像では、周縁部付近の輝度の低下が抑えられる。従って、周縁部付近の輝度が中心部Ｐ１よりも大きく低下することに起因する問題（デコード不良等）を効果的に抑制することができ、読み取り性能をより確実に高めることができる。
【００５０】
また、本構成では、導光部材５０は、開口領域γにおいて視野範囲αの周縁部に沿った環状領域が高照度領域βとなるように照明光を導いている。この構成によれば、開口領域γにおいて視野範囲αの中心部Ｐ１を取り囲むように高照度領域βを構成することができるため、視野範囲を撮像して得られる撮像画像では、周縁部付近を環状に網羅した形で高輝度化が図られることになる。その結果、光学系に起因する画像周縁部の輝度不足や輝度ムラなどが、より抑制されやすくなる。
【００５１】
また、本構成では、導光部材５０が、照明光源２１からの照明光を反射する複数の反射部を備えており、各反射部は、照明光を反射する反射面の少なくとも一部の領域が、上下方向と直交する平面方向において、開口領域γにおける視野範囲αの中心部Ｐ１の位置に近づくにつれて下位置となる傾斜面として構成されている。
この構成では、各反射部の反射面は、平面方向において、視野範囲αの中心部Ｐ１の位置（即ち、光軸Ｌ２の位置）から遠い側が上位置となり、視野範囲αの中心部Ｐ１の位置（光軸Ｌ２の位置）に近い側が下位置となっている。このため、上側の位置で反射した照明光はそれほど減衰せずに開口領域γにおける視野範囲αの周縁部付近に到達しやすくなり、各反射部での反射位置が視野範囲αの中心部Ｐ１側（即ち、光軸Ｌ２側）に近づくほど、反射位置から開口領域γまでの距離が遠くなるため、開口領域γに至るまでに光が減衰しやすくなる。このような作用が生じるため、それほど複雑な部材や特殊な素材を用いなくても、開口領域γ付近において視野範囲αの周縁部付近の照度を中心部Ｐ１付近の照度よりも高めやすくなる。
【００５２】
また、本構成では、導光部材５０が、上下方向と直交する所定方向において互いに対向する一対の反射部（第１反射部５３，５４）を備え、これら一対の反射部において、一方の反射部５４の反射面は、所定方向において他方の反射部５３に近づくにつれて下位置となる傾斜面として構成され、他方の反射部５３の反射面は、所定方向において一方の反射部５４に近づくにつれて下位置となる傾斜面として構成されている。そして、照明光源２１は、一方の反射部５４に照明光を照射する第１光源２１ａ，２１ｂと、他方の反射部５３に照明光を照射する第２光源２１ｃ，２１ｄとを有している。
この構成では、対をなして配置される各反射部５３，５４のいずれの反射面も、平面方向において視野範囲αの中心部Ｐ１の位置（即ち、光軸Ｌ２の位置）から遠い側が上位置となり、平面方向において視野範囲αの中心部Ｐ１の位置（光軸Ｌ２の位置）に近い側が下位置となっている。このため、一方の反射部５４及び他方の反射部５３のいずれにおいても、上側の位置で反射した照明光はそれほど減衰せずに視野範囲αの周縁部付近に到達しやすくなり、各反射部５３，５４での反射位置が視野範囲αの中心部Ｐ１側に近づくほど、反射位置から開口領域γまでの距離が遠くなるため、開口領域γに至るまでに光が減衰しやすくなる。このような作用が生じるため、それほど複雑な部材や特殊な素材を用いなくても、所定方向の両側で視野範囲の周縁部の照度を強調することができ、読取口５付近において、より広い範囲に高照度領域βを構成することができる。
【００５３】
また、本構成では、導光部材５０が、上下方向と直交する所定の第１方向（幅方向）において互いに対向する一対の第１反射部５３，５４と、上下方向及び第１方向と直交する所定の第２方向（前後方向）において互いに対向する一対の第２反射部５１，５２と、を備えている。そして、一対の第１反射部５３，５４において、一方の第１反射部５４の反射面は、第１方向（幅方向）において他方の第１反射部５３に近づくにつれて下位置となる傾斜面として構成され、他方の第１反射部５３の反射面は、第１方向（幅方向）において一方の第１反射部５４に近づくにつれて下位置となる傾斜面として構成されている。更に、一対の第２反射部５１，５２において、一方の第２反射部５１の反射面は、第２方向（前後方向）において他方の第２反射部５２に近づくにつれて下位置となる傾斜面として構成され、他方の第２反射部５２の反射面は、第２方向（前後方向）において一方の第２反射部５１に近づくにつれて下位置となる傾斜面として構成されている。そして、照明光源２１は、一方の第１反射部５４、他方の第１反射部５３、一方の第２反射部５１、他方の第２反射部５２のいずれにも照明光を照射する構成となっている。
この構成では、第１方向（幅方向）において対をなして配置される両第１反射部５３，５４、及び第２方向（前後方向）において対をなして配置される両第２反射部５１，５２のいずれの反射面も、平面方向において視野範囲αの中心部Ｐ１の位置（光軸Ｌ２の位置）から遠い側が上位置となり、平面方向において視野範囲αの中心部Ｐ１の位置に近い側が下位置となっている。このため、四方に配置される一方の第１反射部５４、他方の第１反射部５３、一方の第２反射部５１、他方の第２反射部５２のいずれにおいても、上側の位置で反射した照明光はそれほど減衰せずに視野範囲の周縁部付近に到達しやすくなり、反射部での反射位置が視野範囲の中心部Ｐ１側に近づくほど、反射位置から開口領域γまでの距離が遠くなるため、開口領域γに至るまでに光が減衰しやすくなる。このような作用が生じるため、それほど複雑な部材や特殊な素材を用いなくても、第１方向の両側及び第２方向の両側で、視野範囲の周縁部の照度を強調することができ、読取口５付近の視野範囲周縁部近傍において、より一層広い範囲に、より万遍なく高照度領域βを構成することができる。
【００５４】
また、本構成では、照明光源２１が、第１方向（幅方向）において他方の第１反射部５３よりも一方の第１反射部５４に近い側に配置される一方側光源（第２光源２１ｃ，２１ｄ）を備える。更に、照明光源２１は、第１方向（幅方向）において一方の第１反射部５４よりも他方の第１反射部５３に近い側に配置される他方側光源（第１光源２１ａ，２１ｂ）をも備える。そして、一方側光源からの照明光が他方の第１反射部５３及び一対の第２反射部５１，５２に照射され、他方側光源からの照明光が一方の第１反射部５４及び一対の第２反射部５１，５２に照射される構成となっている。
この構成によれば、一方側光源と他方側光源とによって四方の反射部に光を照射することができ、高照度領域βをより広い範囲に効率的に生じさせることができる。
【００５５】
また、本構成では、各照明光源２１が、上下方向と直交する平面方向において開口領域γの外側の位置に配置されている。この構成によれば、照明光源２１がケース３の外部から直接目視されにくく、且つ照明光源２１からの直接光など、照明光に起因する強い光が撮像部２３に映り込みにくくなる。
【００５６】
また、本構成では、読取口５を閉塞する構成でプレート７（透明部材）が配置されており、照明光源２１が、平面方向において開口領域γから離れた位置に配置され、且つ少なくとも上下方向と直交する横方向に照明光が照射されるように開口領域γに近づく側に照明光を照射する構成となっている。そして、上下方向において各照明光源２１と読取口５の間の位置には、少なくとも各照明光源２１からの照明光の照射側において各照明光源２１の位置から読取口５側に延びる構成で遮光部９１ａ，９２ａ，９３ａ，９４ａが配置されている。そして、これら遮光部９１ａ，９２ａ，９３ａ，９４ａにより、各照明光源２１から斜め上方側に向かおうとする照明光が遮られる構成となっている。
この構成では、照明光源２１から斜め上方側に向かおうとする照明光が遮光部９１ａ，９２ａ，９３ａ，９４ａによって遮られるため、照明光源２１からの直接光がプレート７（透明部材）で鏡面反射しにくくなり、鏡面反射光が撮像部２３に映り込むことを抑制することができる。また、各照明光源２１からの照明光の向きを横方向及び斜め下方向に絞りやすくなるため、上側に漏洩する光を抑えて効率的に導光部材５０に照明光を照射することができる。
【００５７】
また、本構成では、ケース３の内部に収容され、ケース３の外部から読取口５を介して入り込む光を反射させる反射部材２９（ミラー）を備えており、結像部２７は、ケース３の外部から読取口５を通過して入り込み且つ反射部材２９で反射した光を撮像部２３に導く構成となっている。そして、撮像部２３で撮像可能となる視野範囲として、結像部２７と反射部材２９との間に構成される第１視野範囲ＡＲ１と、当該第１視野範囲ＡＲ１に続くように反射部材２９から上方側に構成される第２視野範囲ＡＲ２とを定める構成となっている。
このように、ケース３内に反射部材２９を介在させ、結像部２７からケース３の外部まで続く視野範囲の経路（即ち、読取口５から入り込んだ光を結像部２７に導く経路）をケース３の内部において折れ曲がるように構成することで、ケース３の厚さをそれほど大きくしなくても、光学系から読取口５での距離（読取口５から入り込んだ光が結像部２７に入り込むまでの経路の長さ）を大きく確保しやすくなる。これにより、ケース３の厚さを低減して小サイズ化を図ることができる。
【００５８】
また、本構成では、導光部材５０が、視野範囲の外側において、第２視野範囲ＡＲ２に沿って配置されている。この構成によれば、視野範囲外における視野範囲近傍のスペースを有効に利用して導光部材５０を配置することができ、大きな配置スペースを割くことなく且つ視野範囲に入り込まない構成で導光部材５０を効率的に配置することができる。
【００５９】
また、本構成では、導光部材５０は、視野範囲の外側において第２視野範囲ＡＲ２を囲む構成で環状に配置されており、且つ上端部５０ａが読取口５の内縁部に近接して配置されている。この構成によれば、環状の導光部材５０を視野範囲外に効率的に配置することができ、視野範囲の周縁部を全体的に高照度化し得る構成を簡易に実現できる。
【００６０】
[第２実施形態]
次に、本発明の第２実施形態に係る光学的情報読取装置について、図１１を用いて説明する。
上記第１実施形態では、導光部材として、照明光を反射する反射部５１，５２，５３，５４によって構成される導光部材５０を例示したが、読取口での視野範囲において、中心部付近の照度よりも周縁部付近の照度を相対的に高めることが可能な構成であれば他の様々な構成を適用できる。例えば、図１１の読取装置２００では、結像部２７によって視野範囲ＡＲが定められており、ケース２０３の内部には、この視野範囲ＡＲに沿って光透過性の拡散部材２５０ａ，２５０ｂが設けられている。そして、拡散部材２５０ａ，２５０ｂの下方には、照明光源として、各拡散部材２５０ａ，２５０ｂに対して光を照射する照明光源２２１ａ，２２１ｂが設けられており、照明光源２２１ａ，２２１ｂからの照明光は、各拡散部材２５０ａ，２５０ｂを透過し、拡散しつつ読取口２０５側に照射されるようになっている。なお、この例では、ケース２０３の上端の開口部によって読取口２０５が構成されており、この読取口２０５を閉塞するように、透明なプレート２０７が設けられている。そして、プレート２０７の上面領域全体が開口領域となっている。この構成では、各拡散部材２５０ａ，２５０ｂから上方側に光が放出されるようになっており、各拡散部材２５０ａ，２５０ｂに近い読取口２０５の内縁部付近（開口領域の周縁部付近）では照度が大きくなり、各拡散部材２５０ａ，２５０ｂから遠い読取口２０５の中心部付近（開口領域の中心部付近）では照度が小さくなる。従って、読取口２０５の開口領域では、視野範囲の中心部よりも、視野範囲内の周縁部寄り領域（高照度領域）のほうが照度が大きくなる。なお、図１１は、読取装置２００の中心を上下方向及び上下方向と直交する所定の幅方向に沿って切断した切断面を示しているが、読取装置２００の中心を上下方向及び上下方向と直交する所定の前後方向に沿って切断した切断面においても同様の構成となっており、前後方向の切断面でも、各拡散部材２５０ａ，２５０ｂと同様の各拡散部材が前後に配置されており、照明光源２２１ａ，２２１ｂと同様の照明光源によってこれら拡散部材に照明光が照射されるようになっている。これにより、読取口の開口領域では、視野範囲の周縁部付近の照度が相対的に大きくなるように環状の高照度領域が構成され、視野範囲の中心部付近の照度が相対的に小さくなる。
【００６１】
[第３実施形態]
次に、本発明の第３実施形態に係る光学的情報読取装置について、図１２を用いて説明する。
本第３実施形態では、結像部２７および反射部材２９に代えて結像部６１および反射部材６２が採用される点が主に上記第１実施形態と異なる。このため、第１実施形態と実質的に同様の構成部分には同一符号を付して説明を省略する。
【００６２】
本実施形態では、結像部６１は、広角レンズとして構成される結像部２７よりも画角が狭い通常の結像レンズとして構成されている。本実施形態では、結像部６１として、上下方向における垂直画角（以下、単に画角ともいう）が、例えば、３０度である結像レンズが採用されている。
【００６３】
図１２に示すように、反射部材６２は、反射面として結像部側に凸となる凸面部６２ａを有する凸面鏡として構成されている。この反射部材６２は、凸面部６２ａにてケース３内に入り込む光を結像部６１に向けて反射させるように配置されている。特に、凸面部６２ａは、その反射領域の上端部６２ｃが、第１視野範囲ＡＲ１の上端位置と同位置又は当該上端位置よりも上位置であり、当該反射領域の下端部６２ｂが、第１視野範囲ＡＲ１の下端位置と同位置又は当該下端位置よりも下位置となるように形成されている。そして、凸面部６２ａは、第２視野範囲ＡＲ２が開口領域γにおける視野範囲αに関して上記第１実施形態とほぼ同等となるように形成されている。
【００６４】
ここで、凸面部６２ａを有する反射部材６２の作用効果について、以下説明する。
撮像部２３で撮像可能となる視野範囲を定める結像部として、広角レンズを採用することで、撮像部２３の視野範囲を広くすることができる。これにより、ケース３の厚さを低減しても、必要な視野範囲が確保されるので、読取装置１の小サイズ化を図ることができる。その一方で、結像部として単に広角レンズを採用すると、その光学的特性上、撮像画像における周縁部付近の輝度低下がより顕著となってしまう。
【００６５】
そこで、本実施形態では、凸面部６２ａにてケース３内に入り込む光を結像部６１に向けて反射する。これにより、より広範囲の光が結像部６１に向けて反射されるので、広角レンズよりも画角が狭い通常の結像レンズを採用する場合でも、撮像画像における周縁部付近の輝度低下を招くことなく視野範囲（第２視野範囲ＡＲ２）を広くすることができる。すなわち、反射部材６２の反射面として結像部側に凸となる凸面部６２ａを採用することで、撮像画像において周縁部付近の輝度が中心部付近よりも大きく低下することを抑制しつつ読取装置１の小サイズ化を図ることができる。
【００６６】
[第４実施形態]
次に、本発明の第４実施形態に係る光学的情報読取装置について、図１３および図１４を用いて説明する。なお、図１３では、画角５０度での第１視野範囲ＡＲ１ａおよび第２視野範囲ＡＲ２ａを二点鎖線にて示し、画角６０度での第１視野範囲ＡＲ１ｂおよび第２視野範囲ＡＲ２ｂを一点鎖線にて示す。また、図１４では、画角５０度での第１視野範囲ＡＲ１ａおよび第２視野範囲ＡＲ２ａを二点鎖線にて示し、画角４０度での第１視野範囲ＡＲ１ｃおよび第２視野範囲ＡＲ２ｃを破線にて示し、画角３０度での第１視野範囲ＡＲ１ｄおよび第２視野範囲ＡＲ２ｄを実線にて示す。また、図１４では、同じ開口領域γに対して、画角５０度での視野範囲をαａ、画角４０度での視野範囲をαｃ、画角３０度での視野範囲をαｃとして図示している。
【００６７】
上記第１実施形態の構成では、読取装置１の小サイズ化を図るために結像部２７として広角レンズを採用することで撮像画像における周縁部付近の輝度が低下しても、照明光源２１からの照明光を反射させる導光部材５０によりその周縁部付近の輝度の低下を抑えることができる。
【００６８】
その一方で、より画角の広い広角レンズ、例えば、画角６０度の広角レンズを結像部２７として採用すると、図１３に示すように結像部２７の一部が第２視野範囲ＡＲ２に入り込んでしまい（図１３の第２視野範囲ＡＲ２ｂ参照）、その結像部２７の一部が反射部材２９に映り込んで撮像部２３に撮像されてしまう。
【００６９】
さらに、上述したより画角の広い広角レンズを結像部２７として採用することで、反射部材２９における反射面２９ａの上端部２９ｃが高くなってしまい、ケース３の厚さが大きくなってしまう。これに対して反射面２９ａの上端部２９ｃを低くするために広角レンズを反射部材２９に近づけると、上述した結像部２７の一部の反射部材２９への映り込みがさらに悪化してしまう。
【００７０】
そこで、本実施形態では、結像部２７の一部が第２視野範囲ＡＲ２に入り込まない程度に画角の広い広角レンズとして、例えば画角５０度の広角レンズが結像部２７として採用されている。これにより、結像部２７の一部が反射部材２９に映り込んで撮像部２３に撮像されてしまうことを防止でき（図１３の第２視野範囲ＡＲ２ａ参照）、反射部材２９における反射面２９ａの上端部２９ｃも画角６０度の場合ほど高くならないので、読取装置１の小サイズ化が妨げられることもない。
【００７１】
その一方で、図１４からわかるように、広角レンズの画角が小さくなると、開口領域γでの視野範囲αが小さくなることから、開口領域γにて必要な広さの視野範囲αを確保するためには、広角レンズの画角が小さくなるほどケース３の厚さを大きくする必要があり、小サイズ化の妨げとなる。４０度の広角レンズを結像部２７として採用する構成では、５０度の広角レンズを結像部２７として採用する構成と比較して、ある程度ケース３の厚さを大きくするだけで必要な広さの視野範囲αを確保することができる。これに対して、３０度の広角レンズを結像部２７として採用する構成では、５０度の広角レンズを結像部２７として採用する構成と比較して、必要な広さの視野範囲αを確保するためにケース３の厚さを十分に大きくする必要がある。
【００７２】
このため、結像部２７として画角が４０度以上６０度未満の広角レンズを採用することで、必要な広さの視野範囲αを確保しつつ、読取装置１の小サイズ化を図ることができる。
【００７３】
[第５実施形態]
次に、本発明の第５実施形態に係る光学的情報読取装置について、図１５および図１６を用いて説明する。
本第５実施形態ではケース３に対する撮像部２３の相対位置を変更している点が主に上記第１実施形態と異なる。このため、第１実施形態と実質的に同様の構成部分には同一符号を付して説明を省略する。
【００７４】
本実施形態では、撮像部２３は、ケース３に対して、撮像方向が前後方向に沿う第１実施形態と異なり、図１５に示すように、その撮像方向が幅方向に沿うように配置されている。さらに、撮像部２３は、図１６（Ａ）に示すように、受光面２３ａの長手方向が上下方向に沿うように基板２０に実装されている。このようにしても、導光部材５０が、開口領域γにおいて、視野範囲αの中心部Ｐ１を通る照明光の照度よりも、視野範囲α内の周縁部寄りに定められた所定の高照度領域βを通る照明光の照度のほうが大きくなるように照明光を導くように構成されることで、上記第１実施形態と同様の効果を奏する。
【００７５】
なお、撮像部２３は、図１６（Ｂ）に示すように、受光面２３ａの長手方向が前後方向に沿うように基板２０に実装されてもよい。
【００７６】
また、撮像部２３の撮像方向が前後方向に沿う第１実施形態において、撮像部２３は、受光面２３ａの長手方向が上下方向に沿うように基板に実装されてもよいし、受光面２３ａの長手方向が前後方向に沿うように基板に実装されてもよい。
【００７７】
［他の実施形態]
本発明は上記記述及び図面によって説明した実施形態に限定されるものではなく、例えば次のような実施形態も本発明の技術的範囲に含まれる。
【００７８】
第１実施形態では、第１視野範囲ＡＲ１の中心となる光軸Ｌ１が水平方向となり、第２視野範囲ＡＲ２の中心となる光軸Ｌ２が上下方向となる例を示したが、このような例に限られない。例えば、光軸Ｌ１が水平方向に対して傾いていてもよく、光軸Ｌ２が上下方向に対して傾いていてもよい。
【００７９】
上記実施形態では、読取口５を挟んでケース３の長手方向両側に照明光源がそれぞれ配置された例を示したが、読取口５を挟んでケース３の短手方向両側に照明光源がそれぞれ配置されていてもよい。また、照明光源は、読取口５よりもケース３の長手方向一方側のみに設けられていてもよく、読取口５よりもケース３の短手方向一方側のみに設けられていてもよい。
【００８０】
上記実施形態では、据置構造として、載置面に載置する例を示したが、読取作業を行う者が手に持たずに設置場所に設置して使用可能であればよく、例えば、机などに埋め込んで固定するような据置構成であってもよく、壁などに固定するような据置構造であってもよい。
【符号の説明】
【００８１】
１…据置型情報コード読取装置
３…ケース
５…読取口
２１…照明光源
２１ａ，２１ｂ…第１光源（他方側光源）
２１ｃ，２１ｄ…第２光源（一方側光源）
２３…撮像部
２７，６１…結像部
２９，６２…反射部材
４０…制御回路（解読部）
５０…導光部材
５０ａ…導光部材の上端部
５１，５２…一対の第２反射部（一対の反射部）
５１…一方の第２反射部
５２…他方の第２反射部
５３，５４…一対の第１反射部（一対の反射部）
５３…他方の第１反射部
５４…一方の第１反射部
６２ａ…凸面部
９１ａ，９２ａ，９３ａ，９４ａ…遮光部
ＡＲ１，ＡＲ１ａ〜ＡＲ１ｄ…第１視野範囲（視野範囲）
ＡＲ２，ＡＲ２ａ〜ＡＲ２ｄ…第２視野範囲（視野範囲）
β…高照度領域
γ…開口領域
Ｃ…情報コード
Ｐ１…中心部
Ｐ２…周縁部
【要約】
【課題】視野範囲を撮像して得られる撮像画像において、照明光の偏りを抑制することで読み取り性能を高め得る据置型情報コード読取装置を提供する。
【解決手段】据置型情報コード読取装置１は、ケース３の内部において照明光源２１からの照明光が照射される位置に、照明光源２１からの照明光が読取口５の開口領域γを通ってケース３の外部に照射されるように導く構成で導光部材５０が配置されている。そして、この導光部材５０は、開口領域γにおいて、視野範囲ＡＲの中心部Ｐ１を通る照明光の照度よりも、視野範囲ＡＲ内の周縁部寄りに定められた高照度領域を通る照明光の照度のほうが大きくなるように照明光を導いている。
【選択図】図１【図１】
0005920550.tif 000002
【図２】
0005920550.tif 000003
【図３】
0005920550.tif 000004
【図４】
0005920550.tif 000005
【図５】
0005920550.tif 000006
【図６】
0005920550.tif 000007
【図７】
0005920550.tif 000008
【図８】
0005920550.tif 000009
【図９】
0005920550.tif 000010
【図１０】
0005920550.tif 000011
【図１１】
0005920550.tif 000012
【図１２】
0005920550.tif 000013
【図１３】
0005920550.tif 000014
【図１４】
0005920550.tif 000015
【図１５】
0005920550.tif 000016
【図１６】
0005920550.tif 000017